(57)【特許請求の範囲】
【請求項１】
各々がカメラを備え、所定の無線通信方式を使用して互いに無線通信可能に構成された複数の無線端末装置のコンテンツ共有方法であって、
前記複数の無線端末装置のうちの第１の無線端末装置が、カメラの起動命令をブロードキャスト送信する送信工程と、
前記第１の無線端末装置が識別表示を行う識別工程と、
前記複数の無線端末装置のうちの第２の無線端末装置が、前記カメラの起動命令を受信した場合に、自装置のカメラを起動する受信工程と、
前記第２の無線端末装置が、前記自装置のカメラを使用して、前記第１の無線端末装置の識別表示を検出する検出工程と、
前記第２の無線端末装置が、前記第１の無線端末装置の識別表示を検出した場合に、両端末装置間でセッションを確立し、コンテンツを共有するコンテンツ共有工程と、
を含み、
前記コンテンツ共有工程では、前記第２の無線端末装置は、前記第１の無線端末装置の識別表示を検出した場合に、自装置の表示部に表示されている１又は複数のコンテンツに送信可能又は送信不可を示すシンボルを表示し、前記第１の無線端末装置は、前記自装置のカメラを使用して前記送信可能である旨を示すシンボルを検出した場合に、前記検出したシンボルに対応するコンテンツの送信要求を前記第２の無線端末装置に送信し、前記第２の無線端末装置は、前記シンボルに対応するコンテンツの送信要求を受信した場合に、前記シンボルに対応するコンテンツを前記第１の無線端末装置に送信することを特徴とするコンテンツ共有方法。
【請求項２】
前記識別工程の識別表示は、フラッシュライト及び発光素子の点滅、並びに表示部への所定のパターンの表示の少なくとも１つを含む請求項１に記載のコンテンツ共有方法。 
【請求項３】
前記所定の無線通信方式は、Ｂｌｕｅｔｏｏｔｈ（登録商標）であることを特徴とする請求項１又は２に記載のコンテンツ共有方法。 
【請求項４】
前記複数の無線端末装置は、スマートフォン、ノートＰＣ、携帯電話端末、タブレット、及びデスクトップＰＣのうちの少なくとも１つであることを特徴とする請求項１〜請求項３のいずれか１つに記載のコンテンツ共有方法。 
【請求項５】
他の無線通信装置と無線通信可能に構成された無線端末装置であって、
カメラの起動命令をブロードキャスト送信する手段と、
識別表示を行う手段と、
前記他の無線端末装置が、前記カメラの起動命令を受信して、前記他の無線端末装置のカメラを起動し、当該カメラで前記識別表示を検出した場合に、前記他の無線端末装置とセッションを確立し、コンテンツを共有する手段と、
を備え、
前記コンテンツを共有する手段は、
前記他の無線端末装置において、前記識別表示を検出した場合に前記他の無線端末装置の表示部に表示される、１又は複数のコンテンツについて送信可能又は送信不可を示すシンボルに関して、前記無線端末装置のカメラを使用して前記送信可能である旨を示すシンボルを検出した場合に、前記検出したシンボルに対応するコンテンツの送信要求を前記他の無線端末装置に送信することを特徴とする無線端末装置。 
【請求項６】
カメラを備え、他の無線通信装置と無線通信可能に構成された無線端末装置であって、
前記他の無線端末装置から送信されるカメラの起動命令を受信する手段と、
前記カメラの起動命令を受信した場合に、前記無線端末装置のカメラを起動する手段と、
前記無線端末装置のカメラを使用して、前記他の無線端末装置の識別表示を検出した場合に、前記他の無線端末装置とセッションを確立し、コンテンツを共有する手段と、
を備え、
前記コンテンツを共有する手段は、
前記他の無線端末装置の識別表示を検出した場合に、前記無線端末装置の表示部に表示されている１又は複数のコンテンツに送信可能又は送信不可を示すシンボルを表示し、
前記他の無線端末装置が前記他の無線端末装置のカメラを使用して前記送信可能である旨を示すシンボルを検出した場合に、前記他の無線端末装置から送信される、前記検出したシンボルに対応するコンテンツの送信要求を受信し、
前記シンボルに対応するコンテンツの送信要求を受信した場合に、前記シンボルに対応するコンテンツを前記他の無線端末装置に送信すること特徴とする無線端末装置。 
【請求項７】
他の無線通信装置と無線通信可能に構成された無線端末装置に搭載されるプログラムであって、
カメラの起動命令をブロードキャスト送信する工程と、
識別表示を行う工程と、
前記他の無線端末装置が、前記カメラの起動命令を受信して、前記他の無線端末装置のカメラを起動し、当該カメラで前記識別表示を検出した場合に、当該他の無線端末装置とセッションを確立し、コンテンツを共有する工程と、
をコンピュータに実行させ、
前記コンテンツを共有する工程は、
前記他の無線端末装置において、前記識別表示を検出した場合に前記他の無線端末装置の表示部に表示される、１又は複数のコンテンツについて送信可能又は送信不可を示すシンボルに関して、前記無線端末装置のカメラを使用して前記送信可能である旨を示すシンボルを検出した場合に、前記検出したシンボルに対応するコンテンツの送信要求を前記他の無線端末装置に送信することを特徴とするコンピュータが実行可能なプログラム。 
【請求項８】
カメラを備え、他の無線通信装置と無線通信可能に構成された無線端末装置に搭載されるプログラムであって、
前記他の無線端末装置から送信されるカメラの起動命令を受信する工程と、
前記カメラの起動命令を受信した場合に、前記無線端末装置のカメラを起動する工程と、
前記無線端末装置のカメラを使用して、前記他の無線端末装置の識別表示を検出した場合に、前記他の無線端末装置とセッションを確立し、コンテンツを共有する工程と、
をコンピュータに実行させ、
前記コンテンツを共有する工程は、
前記他の無線端末装置の識別表示を検出した場合に、前記無線端末装置の表示部に表示されている１又は複数のコンテンツに送信可能又は送信不可を示すシンボルを表示し、
前記他の無線端末装置が前記他の無線端末装置のカメラを使用して前記送信可能である旨を示すシンボルを検出した場合に、前記他の無線端末装置から送信される、前記検出したシンボルに対応するコンテンツの送信要求を受信し、
前記シンボルに対応するコンテンツの送信要求を受信した場合に、前記シンボルに対応するコンテンツを前記他の無線端末装置に送信することを特徴とするコンピュータが実行可能なプログラム。
【発明の詳細な説明】
【技術分野】
【０００１】
本発明は、コンテンツ共有方法、無線端末装置、及びコンピュータが実行可能なプログラムに関する。  
【背景技術】
【０００２】
近時、近距離にある端末間で簡単にコンテンツを共有する方法として、Ａｉｒ  ＤｒｏｐやＡｎｄｒｏｉｄ  Ｂｅａｍ等がある。Ａｉｒ  Ｄｒｏｐは、Ｂｌｕｅｔｏｏｔｈ（登録商標）を使用して近接のデバイスを発見し、ユーザ操作で発見したデバイスの一覧のうち信頼するデバイスを選択し、選択したデバイスとの間でセッションを確立し、コンテンツの共有を行うものである。Ａｎｄｒｏｉｄ  Ｂｅａｍは、２台のデバイスのＮＦＣマークを向かい合わせた状態で近づけることで、デバイス同士が互いを認識してセッションを確立し、コンテンツの共有を行うものである。
【０００３】
しかしながら、Ａｉｒ  Ｄｒｏｐではコンテンツを共有するに当たり、ユーザがデバイスのユーザ名でデバイスが信頼できるか判断しているが、直接、相手のデバイスを見て直感的にデバイスを選択できない。また、Ａｎｄｒｏｉｄ  Ｂｅａｍでは、ＮＦＣで検出できる距離まで両デバイスを近づける必要があるため、離れたデバイス間では使用することができない。また、両デバイスともＮＦＣユニットを備える必要がある。
【先行技術文献】
【特許文献】
【０００４】
【特許文献１】特開２００４−１７８１８７号公報
【特許文献２】特開２００８−２１１５０７号公報
【発明の概要】
【発明が解決しようとする課題】
【０００５】
本発明は、上記に鑑みてなされたものであり、見える範囲にある無線端末装置間で直感的かつ簡単な方法でコンテンツを共有することが可能なコンテンツ共有方法、無線端末装置、及びコンピュータが実行可能なプログラムを提供することを目的とする。
【課題を解決するための手段】
【０００６】
上述した課題を解決し、目的を達成するために、本発明は、各々がカメラを備え、所定の無線通信方式を使用して互いに無線通信可能に構成された複数の無線端末装置のコンテンツ共有方法であって、前記複数の無線端末装置のうちの第１の無線端末装置が、カメラの起動命令をブロードキャスト送信する送信工程と、前記第１の無線端末装置が識別表示を行う識別工程と、前記複数の無線端末装置のうちの第２の無線端末装置が、前記カメラの起動命令を受信した場合に、自装置のカメラを起動する受信工程と、前記第２の無線端末装置が、前記自装置のカメラを使用して、前記第１の無線端末装置の識別表示を検出する検出工程と、前記第２の無線端末装置が、前記第１の無線端末装置の識別表示を検出した場合に、両端末装置間でセッションを確立し、コンテンツを共有するコンテンツ共有工程と、を含むことを特徴とする。
【０００７】
また、本発明の好ましい態様によれば、前記コンテンツ共有工程では、前記第２の無線端末装置は、前記第１の無線端末装置の要求に応じて自装置のコンテンツを前記第１の無線端末装置に送信することが望ましい。
【０００８】
また、本発明の好ましい態様によれば、前記コンテンツ共有工程では、前記第２の無線端末装置は、自装置の表示部に表示されているコンテンツに送信可能であることを示すシンボルを表示し、前記第１の無線端末装置は、自装置のカメラを使用して前記シンボルを検出した場合に、前記コンテンツの送信要求を前記第２の無線端末装置に送信し、前記第２の無線端末装置は、前記コンテンツの送信要求を受信した場合に前記コンテンツを前記第１の無線端末装置に送信することが望ましい。
【０００９】
また、本発明の好ましい態様によれば、前記コンテンツ共有工程では、前記第２の無線端末装置は、前記第１の無線端末装置の識別表示を検出した場合に、自装置の表示部に表示されている１又は複数のコンテンツに送信可能又は送信不可を示すシンボルを表示し、前記第１の無線端末装置は、前記自装置のカメラを使用して前記送信可能である旨を示すシンボルを検出した場合に、前記検出したシンボルに対応するコンテンツの送信要求を前記第２の無線端末装置に送信し、前記第２の無線端末装置は、前記シンボルに対応するコンテンツの送信要求を受信した場合に、前記シンボルに対応するコンテンツを前記第１の無線端末装置に送信することが望ましい。
【００１０】
また、本発明の好ましい態様によれば、前記識別工程の識別表示は、フラッシュライト及び発光素子の点滅、並びに表示部への所定のパターンの表示の少なくとも１つを含むことが望ましい。
【００１１】
また、本発明の好ましい態様によれば、前記所定の無線通信方式は、Ｂｌｕｅｔｏｏｔｈであることが望ましい。
【００１２】
また、本発明の好ましい態様によれば、前記複数の無線端末装置は、スマートフォン、ノートＰＣ、携帯電話端末、タブレット、及びデスクトップＰＣのうちの少なくとも１つであることが望ましい。
【００１３】
また、上述した課題を解決し、目的を達成するために、本発明は、他の無線通信装置と無線通信可能に構成された無線端末装置であって、カメラの起動命令をブロードキャスト送信する手段と、識別表示を行う手段と、前記他の無線端末装置が、前記カメラの起動命令を受信して、自装置のカメラを起動し、当該カメラで前記識別表示を検出した場合に、当該他の無線端末装置とセッションを確立し、コンテンツを共有する手段と、を備えたことを特徴とする。
【００１４】
また、上述した課題を解決し、目的を達成するために、本発明は、カメラを備え、他の無線通信装置と無線通信可能に構成された無線端末装置であって、前記他の無線端末装置から送信される、カメラの起動命令を受信する手段と、前記カメラの起動命令を受信した場合に、自装置のカメラを起動する手段と、前記自装置のカメラを使用して、前記他の無線端末装置の識別表示を検出した場合に、前記他の無線端末装置とセッションを確立し、コンテンツを共有する手段と、を備えたことを特徴とする。
【００１５】
また、上述した課題を解決し、目的を達成するために、本発明は、他の無線通信装置と無線通信可能に構成された無線端末装置に搭載されるプログラムであって、カメラの起動命令をブロードキャスト送信する工程と、識別表示を行う工程と、前記他の無線端末装置が、前記カメラの起動命令を受信して、自装置のカメラを起動し、当該カメラで前記識別表示を検出した場合に、当該他の無線端末装置とセッションを確立し、コンテンツを共有する工程と、をコンピュータに実行させることを特徴とする。
【００１６】
また、上述した課題を解決し、目的を達成するために、本発明は、カメラを備え、他の無線通信装置と無線通信可能に構成された無線端末装置に搭載されるプログラムであって、前記他の無線端末装置から送信されるカメラの起動命令を受信する工程と、前記カメラの起動命令を受信した場合に、自装置のカメラを起動する工程と、前記自装置のカメラを使用して、前記他の無線端末装置の識別表示を検出した場合に、前記他の無線端末装置とセッションを確立し、コンテンツを共有する工程と、をコンピュータに実行させることを特徴とする。
【発明の効果】
【００１７】
本発明によれば、見える範囲にある無線端末装置間で直感的かつ簡単な方法でコンテンツを共有することが可能なコンテンツ共有方法を提供することが可能となるという効果を奏する。  
【図面の簡単な説明】
【００１８】
【図１】図１は、実施の形態に係る無線システムの構成例を示す図である。
【図２】図２は、各無線端末装置間でコンテンツを共有する処理の概略を説明するためのフローチャートである。
【図３−Ａ】図３−Ａは、本実施の形態に係る無線端末装置を適用したスマートフォンの外観を示す斜視図である。
【図３−Ｂ】図３−Ｂは、スマートフォンの外観を示す背面図である。
【図４】図４は、スマートフォンの概略の構成を示すブロック図である。
【図５】図５は、本実施の形態に係る無線端末装置を適用したノートＰＣの概略の外観構成を示す斜視図である。
【図６】図６は、ノートＰＣの概略のハードウェア構成例を示す図である。
【図７】図７は、スマートフォンとノートＰＣ間で行われるコンテンツ共有処理を説明するためのフローチャートである。
【図８−Ａ】図８−Ａは、コンテンツ共有処理におけるユーザ操作の一例を説明するための説明図である。
【図８−Ｂ】図８−Ｂは、コンテンツ共有処理におけるユーザ操作の一例を説明するための説明図である。
【図８−Ｃ】図８−Ｃは、コンテンツ共有処理におけるユーザ操作の一例を説明するための説明図である。
【図８−Ｄ】図８−Ｄは、コンテンツ共有処理におけるユーザ操作の一例を説明するための説明図である。
【図８−Ｅ】図８−Ｅは、コンテンツ共有処理におけるユーザ操作の一例を説明するための説明図である。
【図８−Ｆ】図８−Ｆは、コンテンツ共有処理におけるユーザ操作の一例を説明するための説明図である。
【発明を実施するための形態】
【００１９】
以下に、この発明に係るコンテンツ共有方法、無線端末装置、及びコンピュータが実行可能なプログラムを図面に基づいて詳細に説明する。本発明の構成要素は、本明細書の図面に一般に示してあるが、様々な構成で広く多様に配置し設計してもよいことは容易に理解できる。したがって、本発明の装置、システム及び方法の実施形態についての以下のより詳細な説明は、特許請求の範囲に示す本発明の範囲を限定するものではなく、単に本発明の選択した実施形態の一例を示すものであって、特許請求の範囲に示す本発明と矛盾無く装置、システム及び方法についての選択した実施形態を単に示すものである。当業者は、特定の細目の１つ以上が無くても、又は他の方法、部品、材料でも本発明を実現できることが理解できる。また、フローチャートの各ステップを実行する順番はフローチャートに示す順番に限定されるものではなく、本発明の趣旨を逸脱しない範囲で順番を変更してもよい。なお、この実施の形態によりこの発明が限定されるものではない。また、下記実施の形態における構成要素には、当業者が容易に想定できるもの又は実質的に同一のものが含まれる。  
【００２０】
（実施の形態）
図１は、実施の形態に係る無線端末システムの構成例を示す図である。無線端末システム１は、図１に示すように、所定の無線通信方式を使用して無線通信を行う複数の無線端末装置２で構築されている。所定の無線通信方式は、例えば、Ｂｌｕｅｔｏｏｔｈであり、ここでは、各無線端末装置２がＢｌｕｅｔｏｏｔｈを使用して近距離無線通信を行う場合を一例として説明する。無線端末装置２は、例えば、スマートフォン、携帯電話端末、タブレット、ノートＰＣ、又はデスクトップＰＣである。本実施の形態の無線端末システム１では、見える範囲にある無線端末装置２間で直感的かつ簡単な方法でセッションを確立し、コンテンツを共有することが可能となっている。
【００２１】
各無線端末装置２は、他の無線端末装置２とコンテンツを共有するコンテンツ共有機能を備えており、コンテンツ取得機能及びコンテンツ提供機能の両機能を備えている。各無線端末装置２は、無線通信手段、カメラ、表示手段、制御手段、及び識別表示手段等を備えている。コンテンツ取得機能を実行する無線端末装置２をコンテンツ取得側端末（第１の無線端末装置）１００、コンテンツ提供機能を実行する無線端末装置２をコンテンツ提供側端末（第２の無線端末装置）２００と称する。コンテンツ取得側端末１００はＢｌｕｅｔｏｏｔｈデバイスのマスター、コンテンツ提供側端末２００はＢｌｕｅｔｏｏｔｈデバイスのスレーブとして機能する。以下の説明では、Ｂｌｕｅｔｏｏｔｈの通信手順の詳細な説明は省略する。
【００２２】
図２は、各無線端末装置２間でコンテンツを共有する処理の概略を説明するためのフローチャートである。コンテンツ取得側端末１００は、近距離にある無線端末装置２を探索し、探索した全ての無線端末装置２にカメラの起動命令をブロードキャスト送信する（ステップＳ１）。コンテンツ提供側端末２００は、カメラの起動命令を受信すると（ステップＴ１）、自端末のカメラを起動する（ステップＴ２）。これにより、コンテンツ提供側端末２００のカメラでは被写体の撮像が開始される。
【００２３】
コンテンツ取得側端末１００は、識別表示手段による識別表示を行う（ステップＳ２）。識別表示手段による識別表示は、例えば、フラッシュライトや発光素子の点滅、表示部への所定のパターンの表示としてもよい。コンテンツ取得側端末１００のユーザは、コンテンツ提供側端末２００のカメラの撮影範囲内に、自端末の識別表示（例えば、フラッシュライトの点滅）が入るようにする。
【００２４】
なお、コンテンツ提供側端末２００は、識別表示を検出した場合にはカメラをＯＦＦすることにしてもよい。また、カメラ起動命令を受信した他の無線端末装置２は、カメラを起動させた後、所定時間内にコンテンツ取得側端末１００の識別表示を検出しなかった場合には、カメラをＯＦＦすることにすることにしてもよい。これにより、カメラをＯＮとしている時間を短縮でき、不要な電力消費を防止できる。
【００２５】
コンテンツ共有処理Ｕ２では、まず、コンテンツ提供側端末２００は、表示手段に表示しているコンテンツ上に送信可能である旨を示すシンボルを表示する（ステップＴ４）。
コンテンツは、例えば、ローカル及びリモート（ＷＥＢ）のファイル及びソフトウェアである。コンテンツが送信可能でない場合（例えば、著作権制限がされているコンテンツ）には、送信不可である旨を示すシンボルを表示してもよい。また、複数のコンテンツを表示してもよく、この場合、各コンテンツを識別するために異なるシンボルを表示してもよい。
【００２６】
コンテンツ取得側端末１００のユーザは、コンテンツ提供側端末２００の表示手段に表示されている所望のコンテンツ上のシンボルをカメラで撮影する（ステップＳ３）。コンテンツ取得側端末１００は、カメラで撮影した画像の中からシンボルを検出すると（ステップＳ４の「Ｙｅｓ」）、検出したシンボルが表示されているコンテンツ（シンボルに対応するコンテンツ）の送信をコンテンツ提供側端末２００に要求する（ステップＳ５）。なお、コンテンツ取得側端末１００は、シンボルを検出した場合には、カメラ及び識別表示手段による識別表示をＯＦＦとしてよい。これにより、消費電力を低減できる。
【００２７】
コンテンツ提供側端末２００は、コンテンツの要求を受信すると（ステップＴ５）、要求されたコンテンツをコンテンツ取得側端末１００に送信する（ステップＴ６）。なお、コンテンツ提供側端末２００は、ユーザの許可を得た場合にコンテンツを送信することにしてもよい。
【００２８】
コンテンツ取得側端末１００は、コンテンツ提供側端末２００から送信されるコンテンツを受信する（ステップＳ６）。
【００２９】
以上、説明したように、本実施の形態によれば、コンテンツ取得側端末１００は、カメラの起動命令を送信した後、識別表示を行い、コンテンツ提供側端末２００は、カメラの起動命令を受信した場合に、自装置のカメラを起動し、当該カメラによりコンテンツ取得側端末１００の識別表示を検出し、当該識別表示を検出した場合に、コンテンツ取得側端末１００とセッションを確立し、両端末間でコンテンツを共有するコンテンツ共有処理を実行することとしたので、見える範囲にある無線端末装置間で直感的かつ簡単な方法でコンテンツを共有することが可能となる。付言すると、無線端末装置に通常搭載されているカメラを使用して、相手の無線端末装置を確認（信頼）することとしたので低コストな構成とすることができる。
【００３０】
（実施例）
次に、本実施の形態に係る無線端末装置２をスマートフォン及びノートＰＣに適用した場合の一例を説明する。図３−Ａは、本実施の形態に係る無線端末装置を適用したスマートフォン１０の外観を示す斜視図である。図３−Ｂは、スマートフォン１０の外観を示す背面図である。
【００３１】
図３−Ａ及び図３−Ｂに示すように、スマートフォン１０は、略六面体形状の筐体１２を備えている。筐体１２の表面のうち一方側の面を正面１２Ａ、正面１２Ａに対向する他方側の面を背面１２Ｃ、筐体１２の表面のうち正面１２Ａと背面１２Ｃに挟まれた面を側面１２Ｂとする。スマートフォン１０は、筐体１２の正面１２Ａに、タッチパネル１３Ａ及び各種アイコンや画像が表示される表示部１３Ｂで構成されるタッチ表示部１３と、操作部１４と、マイク１５と、スピーカ１７とが配置されている。筐体１２の背面１２Ｃには、カメラ部１６Ａ及びフラッシュライト１６Ｂが配置されている。筐体１２の側面１２Ｂには、不図示の電源ボタンやボリューム調整ボタン等が配置されている。
【００３２】
タッチ表示部１３は、正面１２Ａの中央の略全域に亘って配置されている。タッチ表示部１３には、各種アプリ等に対応したアイコンが表示されている。ユーザは、アイコンをタッチすることで対応するアプリケーションプログラム（以下、「アプリケーションプログラム」を「アプリ」と称する）を起動させることができる。操作部１４及びマイク１５は、正面１２Ａの長手方向の一方の端部に配置されている。スピーカ１７は、正面１２Ａの長手方向の他方の端部に配置されている。カメラ部１６Ａ及びフラッシュライト１６Ｂは、背面１２Ｃの長手方向の一方の端部に配置されている。カメラ部１６Ａでは背面１２Ｃ側から撮影が可能となっている。
【００３３】
タッチ表示部１３は、アイコン、文字、図形、画像等の情報を表示するとともに、指、スタイラス、ペン等（以下、「指示体」と称する）を用いてタッチパネル１３Ａに対して行われる各種操作を検出する。タッチパネル１３Ａが各種操作を検出する方式は、静電容量式、感圧式等の方式を採用することができる。
【００３４】
カメラ部１６Ａで撮像した画像は表示部１３Ｂに表示可能となっており、ユーザは、表示部１３Ｂを電子ビューファインダーとして使用することができる。ユーザは、表示部１３Ｂに表示される画像を観ながらシャッタチャンスを得ることができる。
【００３５】
図４は、スマートフォン１０の概略の構成を示すブロック図である。図４に示すように、スマートフォン１０は、制御部２０と、メモリ２１と、記憶部２２と、通信部２３と、無線通信部２５と、カメラ部１６Ａ及びフラッシュライト１６Ｂを含むカメラ１６と、タッチ表示部１３（タッチパネル１３Ａ、表示部１３Ｂ）と、操作部１４と、マイク１５と、スピーカ１７とを備えている。  
【００３６】
タッチ表示部１３は、表示部１３Ｂと、表示部１３Ｂに重畳されたタッチパネル１３Ａとを有する。タッチパネル１３Ａは、指やペン等の指示体を用いてタッチパネル１３Ａに対して行われた各種操作を、操作が行われた場所のタッチパネル１３Ａ上での位置とともに検出し、制御部２０に通知する。タッチパネル１３Ａによって検出される操作には、タッチ操作、スライド操作、及びピッチ操作が含まれる。表示部１３Ｂは、例えば、液晶ディスプレイ（ＬＣＤ：Liquid  Crystal  Display）や、有機ＥＬ（Organic  Electro−Luminescence）パネルなどで構成され、文字や図形等を表示する。
【００３７】
操作部１４は、ホームボタン１４Ａや他のボタン（不図示）等を通じて利用者の操作を受け付け、受け付けた操作に対応する指示信号を制御部２０へ送信する。
【００３８】
電源部２４は、制御部２０の制御に従って、蓄電池又はＡＣアダプタから得られる電力を、制御部２０を含むスマートフォン１０の各部へ供給する。  
【００３９】
通信部２３は、基地局によって割り当てられるチャネルを介し、基地局との間で無線信号回線を確立し、基地局との間で電話通信及び情報通信を行う。無線通信部２５は、Ｂｌｕｅｔｏｏｔｈ方式でＢｌｕｅｔｏｏｔｈデバイスと近距離無線通信を行う。スピーカ１７は、制御部２０から送信される音声信号を音声として出力する。マイク１５は、利用者等の音声を音声信号へ変換して制御部２０へ出力する。  
【００４０】
メモリ２１は、例えば、ＲＡＭやＤＲＡＭ等で構成されており、制御部２０によって実行されるプログラム、制御部２０が参照するデータ、制御部２０の演算結果等が一時的に記憶されるワークエリアとして使用される。  
【００４１】
記憶部２２は、例えば、不揮発性メモリ（例えば、ＥＥＰＲＯＭ、ＳＳＤ）や磁気記憶装置であり、制御部２０での処理に利用されるプログラムやデータを保存する。記憶部２２に記憶されるプログラムには、スマートフォンの基本的な機能を実現するＯＳ３１（例えば、ｉＯＳ、Ａｎｄｒｏｉｄ、Ｗｉｎｄｏｗｓ（登録商標））、デバイスをハードウェア制御するためのドライバ３２、コンテンツ取得用アプリ３３、コンテンツ提供用アプリ３４、カメラ機能を実現するためのカメラアプリ３５、並びに、電話機能を実現するための電話アプリ、電子メール機能を実現するためのメールアプリ、ＷＥＢブラウジング機能を実現するためのブラウザアプリ、ファイル閲覧用アプリ、及びワープロアプリ等の他のアプリ３６等が含まれる。
【００４２】
コンテンツ取得用アプリ３３及びコンテンツ提供用アプリ３４は、上述のコンテンツ共有機能を実現するためのプログラムである。コンテンツ取得用アプリ３３は、上述のコンテンツ取得機能を実現するためのプログラムである。コンテンツ提供用アプリ３４は、上述のコンテンツ提供機能を実現するためのプログラムである。コンテンツ提供用アプリ３４は常駐型のプログラムである。
【００４３】
制御部２０は、例えば、ＣＰＵ（Central  Processing  Unit）、マイクロプロセッサ、ＤＳＰ等であり、スマートフォン１０の動作を統括的に制御して各種の機能（モード）を実現する。具体的には、制御部２０は、記憶部２２に記憶されているデータやメモリ２１に展開したデータを必要に応じて参照しつつ、記憶部２２に記憶されているプログラムに含まれる命令を実行して、タッチ表示部１３、通信部２３，無線通信部２５，及びカメラ１６等を制御することによって各種機能（モード）を実現する。なお、制御部２０が実行するプログラムや参照するデータは、通信部２３による通信でサーバ装置からダウンロードすることとしてもよい。
【００４４】
カメラ１６は、カメラ部１６Ａと、フラッシュ撮影時に使用されるフラッシュライト１６Ｂと、カメラ処理部１６Ｃとを備えている。カメラ部１６Ａは、レンズや撮像部（ＣＣＤやＣＭＯＳ）を備えており、レンズは被写体光を結像し、撮像部は結像された被写体光をＲ，Ｇ，Ｂの画像信号として出力する。カメラ処理部１６Ｃは、Ａ／Ｄ変換器、画像処理用ＬＳＩ、メモリ等を備え、撮像部の駆動タイミングや露出制御、及びフラッシュライト１６Ｂの制御等を行うと共に、撮像部で得られたＲＧＢの画像信号を信号処理して画像を制御部２０に出力する。
【００４５】
図５は、本実施の形態に係る無線端末装置を適用したノートＰＣの概略の外観構成を示す斜視図である。ノートＰＣ４０は、図５に示すように、いずれも略直方体である本体側筐体４１及びディスプレイ側筐体４２を備える。本体側筐体４１は、キーボード及びタッチパッド等を有する入力部４４を備える。ディスプレイ側筐体４２は、ＬＣＤ（液晶ディスプレイ）４５と、ＬＣＤ４５の表示面側にその上方の略中央に配置され、前方の被写体を撮像可能なカメラ部５０Ａ及びフラッシュライト５０Ｂとを備える。図５に示す例では、ＬＣＤ４５にコンテンツ８１，８２，８３が表示されている。
【００４６】
本体側筐体４１及びディスプレイ側筐体４２は、それぞれの端部で左右の一対の連結部（ヒンジ部）４３によって連結されており、連結部４３は、これらの筐体を開閉自在に支持している。  
【００４７】
図６は、上記ノートＰＣ４０の概略のハードウェア構成例を示す図である。ノートＰＣ４０は、同図に示すように、ＣＰＵ５１、ＲＯＭ５２、メモリ５３、ＨＤＤ（ハードディスク）５４、ＬＣＤ４５、入力部４４、カメラ５０、通信部７１、無線通信部７５、バッテリ７２、ＤＣ−ＤＣコンバータ７３，ＡＣアダプタ７４、ＵＳＢポート７０等を備えており、各部はバスを介して直接又は間接的に接続されている。
【００４８】
ＣＰＵ５１は、バスを介して接続されたＨＤＤ５４に格納されたＯＳ６１によりノートＰＣ４０全体の制御を行うとともに、ＨＤＤ５４に格納された各種のプログラムに基づいて処理を実行する機能を司る。ＲＯＭ５２は、ＢＩＯＳ（Ｂａｓｉｃ  Ｉｎｐｕｔ／Ｏｕｔｐｕｔ  Ｓｙｓｔｅｍ：基本入出力システム）５２ａやデータ等を格納している。
【００４９】
メモリ５３は、キャッシュメモリやＲＡＭで構成されており、ＣＰＵ５１の実行プログラムの読み込み領域として、実行プログラムの処理データを書き込む作業領域として利用される書き込み可能メモリである。  
【００５０】
ＨＤＤ（ハードディスク）５４は、例えば、Ｗｉｎｄｏｗｓ（登録商標）  ＸＰ、Ｖｉｓｔａ、７、８等のノートＰＣ４０全体の制御を行うためのＯＳ６１、周辺機器類をハードウェア操作するための各種デバイス・ドライバ６２、コンテンツ取得用アプリ６３、コンテンツ提供用アプリ６４、カメラ機能を実現するためのカメラアプリ６５、並びに、電子メール機能を実現するためのメールアプリ、ＷＥＢブラウジング機能を実現するためのブラウザアプリ、ファイル閲覧用アプリ、及びワープロアプリ等の他の業務に向けられた他のアプリ６６等を記憶する機能を有する。      
【００５１】
ＯＳ６１は、ノートＰＣ４０の基本的な動作を制御しているものであり、各種資源を管理し、例えば、アプリケーションプログラムが発生した命令を、各種ドライバ６２やＢＩＯＳ５２ａに伝える。ＯＳ６１は、マルチタスク機能及びマルチウィンドウ機能を有し、アプリケーションプログラムの実行コンテキスト（あるアプリケーションプログラムが利用しているレジスタセットやメインメモリイメージ、ファイルハンドルなど）やＧＵＩの
部品などのソフトウェア資源の管理も行うように構成されている。アプリと各ドライバの間のデータ又はコマンドの送受信には、ＯＳ６１が介在する。  
【００５２】
各種ドライバ６２は、例えば、ＯＳ６１の指示に従ってＬＣＤ４５を制御する表示ドライバ、ＯＳ６１の指示に従ってカメラ５０を制御するカメラドライバ、ＯＳ６１の指示に従ってマウスを制御するマウスライバ、ＯＳ６１の指示に従って通信部７１や無線通信部７５を制御する通信ドライバ等である。
【００５３】
コンテンツ取得用アプリ６３及びコンテンツ提供用アプリ６４は、上述のコンテンツ共有機能を実現するためのプログラムである。コンテンツ取得用アプリ６３は、上述のコンテンツ取得機能を実現するためのプログラムである。コンテンツ提供用アプリ６４は、上述のコンテンツ取得機能を実現するためのプログラムである。コンテンツ提供用アプリ６４は常駐型のプログラムである。
【００５４】
ＬＣＤ４５は、ＣＰＵ５１の制御に従って、表示情報をビデオ信号に変換し、変換したビデオ信号に応じた各種情報を表示画面に表示する。  
【００５５】
なお、本実施の形態では、ディスプレイとしてＬＣＤを使用することにしているが、本発明はこれに限られるものではなく、有機ＥＬディスプレイやＣＲＴ等の他のディスプレイを使用することにしてもよい。  
【００５６】
入力部４４は、ユーザが入力操作を行うためのユーザ・インターフェースであり、文字、コマンド等を入力する各種キーより構成されるキーボードや、画面上のカーソルを移動させたり、各種メニューを選択するタッチパッド等を備えている。  
【００５７】
カメラ５０は、カメラ部５０Ａと、フラッシュ撮影時に使用されるフラッシュライト５０Ｂと、カメラ処理部５０Ｃとを備えている。カメラ部５０Ａは、レンズや撮像部（ＣＣＤやＣＭＯＳ）を備えており、レンズは被写体光を結像し、撮像部は結像された被写体光をＲ，Ｇ，Ｂの画像信号として出力する。カメラ処理部５０Ｃは、Ａ／Ｄ変換器、画像処理用ＬＳＩ、メモリ等を備え、撮像部の駆動タイミングや露出制御、及びフラッシュライト５０Ｂの制御等を行うと共に、撮像部で得られたＲＧＢの画像信号を信号処理して画像をＣＰＵ５１に出力する。
【００５８】
通信部７１は、インターネットやイーサーネット等のネットワークを介してデータの送受信を行うためのものであり、画像データ及び音声データをネットワークに送信し、また、ネットワークを介して送信されてくる画像データ及び音声データを受信する。ＵＳＢポート７０には、ＵＳＢデバイス（例えば、ＵＳＢマウス等）が接続可能となっている。
【００５９】
無線通信部７５は、Ｂｌｕｅｔｏｏｔｈ方式でＢｌｕｅｔｏｏｔｈデバイスと近距離無線通信を行うためのものである。  
【００６０】
ＡＣアダプタ７４は、商用電源に接続して、ＡＣ電圧をＤＣ電圧に変換してＤＣ−ＤＣコンバータ７３に出力する。ＤＣ−ＤＣコンバータ７３は、ＡＣアダプタ７４から供給されるＤＣ電圧を所定の電圧に変換して各部に電力を供給し、また、バッテリ７２の充電を行う。バッテリ７２は、ＤＣ−ＤＣコンバータ７３により充電され、充電した電圧を各部に供給する。バッテリ７２は、ＡＣアダプタ７４が商用電源に接続されていない場合に使用される。
【００６１】
図７は、スマートフォン１０とノートＰＣ４０間で行われるコンテンツ共有処理を説明するためのフローチャートである。図８は、コンテンツ共有処理におけるユーザ操作の一例を説明するための説明図である。
【００６２】
スマートフォン１０では、コンテンツ取得用アプリ３３が起動されると（ステップＳ１１）、コンテンツ取得用アプリ３３は、無線通信部２５を介して、近距離にある無線端末装置２を探索し、探索した全ての無線端末装置２にカメラ起動命令をブロードキャスト送信すると共に（ステップＳ１２）、カメラアプリ３５を介して、カメラ１６を起動し（ステップＳ１３）、フラッシュライト１６Ｂを点滅（識別表示）させる（ステップＳ１４）。
【００６３】
ノートＰＣ４０では、コンテンツ提供用アプリ６４が、無線通信部７５を介して、カメラの起動命令を受信すると（ステップＴ２１の「Ｙｅｓ」）、カメラアプリ６５を介して、カメラ５０を起動させ（ステップＴ２２）、カメラ５０は被写体の撮像を開始する。
【００６４】
スマートフォン１０のユーザは、スマートフォン１０の背面１２ＣをノートＰＣ４０のカメラ５０（カメラ部５０Ａ）に向け、フラッシュライト１６Ｂが写るようにする。ノートＰＣ４０では、コンテンツ提供用アプリ６４は、カメラ５０で撮像した画像からフラッシュライト１６Ｂの点滅を検出すると（ステップＴ２３の「Ｙｅｓ」）、無線通信部７５を介して、スマートフォン１０とのセッションを確立する（ステップＵ１１）。これにより、スマートフォン１０とノートＰＣ４０間でファイルの共有が可能な状態となる。
【００６５】
コンテンツ提供用アプリ６４は、カメラ５０をＯＦＦし（ステップＴ２４）、ＬＣＤ４５に表示されているコンテンツに送信可能／送信不可である旨を示すシンボル（例えば、インデックスＮｏ）を表示する（ステップＴ２５）。なお、ＬＣＤ４５に表示されるコンテンツの数は１又は複数とすることができ、各コンテンツを識別するためのシンボル（例えば、コンテンツのインデックスＮｏが付加されているシンボル）を表示することにしてもよい。また、コンテンツが著作権制限されている場合には、送信不可である旨を示すシンボルを表示することにしてもよい。送信不可であるか否かは、例えば、コンテンツに付加されている属性情報から判断することができる。
【００６６】
また、コンテンツ提供用アプリ６４は、カメラ５０を起動させた後、所定時間内にフラッシュライトの点滅を検出しなかった場合には（ステップＴ２３「Ｎｏ」）、カメラ５０をＯＦＦすることにすることにしてもよい（ステップＴ２９）。
【００６７】
スマートフォン１００のユーザは、ノートＰＣ４０のＬＣＤ４５に表示されているコンテンツの中から所望のコンテンツを選択し、カメラ１６で所望のコンテンツ上に表示されているシンボルを撮影する（ステップＳ１５）。コンテンツ取得用アプリ３３は、撮影した画像の中からシンボルを検出すると（ステップＳ１６の「Ｙｅｓ」）、カメラ１６及びフラッシュライト１６ＢをＯＦＦすると共に（ステップＳ１７）、撮影したシンボルのインデックスＮｏをノートＰＣ４０に送信する（ステップＳ１８）。
【００６８】
ノートＰＣ４０では、コンテンツ提供用アプリ６４は、シンボルのインデックスＮｏを受信すると（ステップＴ２６）、ＬＣＤ４５にコンテンツの送信に同意するか否かの確認メッセージを表示し、ユーザがコンテンツの送信に同意した場合には（ステップＳ２７の「Ｙｅｓ」）、受信したインデックスＮｏに対応するコンテンツをスマートフォン１０に送信する（ステップＴ２８）。スマートフォン１０では、コンテンツ取得用アプリ３３は、コンテンツを受信する（ステップＳ１９）。
【００６９】
なお、コンテンツは、例えば、ローカルコンテンツやインターネットコンテンツであり、ローカルコンテンツの場合はそのファイルを送信し、インターネットコンテンツの場合は、そのＵＲＬを送出することにしてもよい。
【００７０】
なお、上記ステップＳ１４の識別表示としては、フラッシュライト１６Ｂの点滅に限られるものはなく、例えば、ＬＥＤを点滅させたり、タッチ表示部１３に所定のパターンを表示することにしてもよく、カメラ５０で検出可能な識別表示であればよい。
【００７１】
次に、上記コンテンツ共有処理におけるユーザ操作の一例を図８−Ａ〜図８−Ｆを参照して説明する。例えば、図８−Ａにおいて、ノートＰＣ４０のユーザＡがコンテンツ８１，８２、８３をＬＣＤ４５に表示しているときに、スマートフォン１０のユーザＢがコンテンツ８２の取得を希望する場合を説明する。
【００７２】
まず、スマートフォン１０のユーザＢがコンテンツ取得用アプリ３３のアイコン３３Ａをタッチして、コンテンツ取得用アプリ３３を起動させると、コンテンツ取得用アプリ３３は、カメラ起動命令をブロードキャスト送信すると共に、カメラアプリ３５を起動させることにより、カメラ１６を起動させ、さらに、フラッシュライト１６Ｂを点滅させる。カメラアプリ３５が起動すると、タッチ表示部１３には、撮像した画像データを表示する領域（電子ビューファインダー）９０と、シャッターボタン９２や各種機能選択を行うためのボタン（不図示）等が表示される領域９１とを備えたカメラ操作画面が表示される（図８−Ｂ等参照）。ノートＰＣ４０では、コンテンツ提供用アプリ６４がカメラ起動命令を受信すると、カメラアプリ６５を介して、カメラ５０を起動させ、カメラ５０に被写体の撮像を開始させる。
【００７３】
図８−Ｂにおいて、スマートフォン１０のユーザＢが、ノートＰＣ４０のカメラ部５０Ａにスマートフォン１０の背面１２Ｃを向け、フラッシュライト１６Ｂの点滅が写るようにする。ノートＰＣ４０のコンテンツ提供用アプリ６４は、カメラ５０で撮像した画像からフラッシュライト１６Ｂの点滅を検出すると、例えば、図８−Ｃに示すように、コンテンツ８１，８２上に送信可能であることを示す、コンテンツのインデックスＮｏ（１，２）のついたシンボル８１Ａ，８２Ｂを表示し、また、コンテンツ８３上に送信不可であることを示すシンボル（×）８３Ｃを表示する。コンテンツ８３はコピーが禁止されているコンテンツである。
【００７４】
図８−Ｄにおいて、スマートフォン１０のユーザＢは、ノートＰＣ４０のＬＣＤ４５に表示されているコンテンツ８２のシンボル８２Ｂを、シャッターボタン９２を押して撮影する。スマートフォン１０では、コンテンツ取得用アプリ３３が撮影した画像の中からシンボル８２Ｂを検出すると、コンテンツのインデックスＮｏ（２）をノートＰＣ４０に送信する。
【００７５】
図８−Ｅに示すように、ノートＰＣ４０では、コンテンツ提供用アプリ６４は、コンテンツのインデックスＮｏを受信すると、ＬＣＤ４５に（２）のコンテンツの送信に同意するか否かの確認メッセージ８５を表示する。ノートＰＣ４０のユーザＡがＯＫを選択すると、図８−Ｆに示すように、コンテンツ提供用アプリ６４は、ＬＣＤ４５に（２）のコンテンツを送信する旨のメッセージ８６を表示すると共に、コンテンツ８２をスマートフォン１０に送信する。スマートフォン１０では、コンテンツ取得用アプリ３３は、コンテンツ８２を受信すると、記憶部２２に格納する。
【００７６】
なお、上記実施の形態では、無線通信方式としてｂｌｕｅｔｏｏｔｈを使用することとしたが、本発明はこれに限られるものではなく、ＷｉＦｉや赤外線通信等の他の無線通信方式を使用することにしてもよい。
【符号の説明】
【００７７】
１  無線システム
２  無線端末装置
１０  スマートフォン
１２  筐体
１３  タッチ表示部
１３Ａ  タッチパネル
１３Ｂ  表示部
１４  操作部
１５  マイク
１６  カメラ
１６Ａ  カメラ部
１６Ｂ  フラッシュライト
１６Ｃ  カメラ処理部
２０  制御部
２１  メモリ
２２  記憶部
２３  通信部
２４  電源部
２５  無線通信部
３１  ＯＳ
３２  ドライバ
３３  コンテンツ取得用アプリ
３４  コンテンツ提供用アプリ
３５  カメラアプリ
３６  他のアプリ
４０  ノートＰＣ
４１  本体側筐体
４２  ディスプレイ側筐体
４３  連結部（ヒンジ）
４４  入力部
４５  ＬＣＤ（液晶ディスプレイ）
５０  カメラ
５０Ａ  カメラ部
５０Ｂ  フラッシュライト
５０Ｃ  カメラ処理部
５１  ＣＰＵ
５２  ＲＯＭ
５３  メモリ
５４  ＨＤＤ（ハードディスク）
６１  ＯＳ
６２  ドライバ
６３  コンテンツ取得用アプリ
６４  コンテンツ提供用アプリ
６５  カメラアプリ
６６  他のアプリ
７０  ＵＳＢポート
７１  通信部
７２  バッテリ
７３  ＤＣ−ＤＣコンバータ
７４  ＡＣアダプタ
７５  無線通信部
８１〜８３  コンテンツ
【図１】
0005986137.tif 000002
【図２】
0005986137.tif 000003
【図３−Ａ】
0005986137.tif 000004
【図３−Ｂ】
0005986137.tif 000005
【図４】
0005986137.tif 000006
【図５】
0005986137.tif 000007
【図６】
0005986137.tif 000008
【図７】
0005986137.tif 000009
【図８−Ａ】
0005986137.tif 000010
【図８−Ｂ】
0005986137.tif 000011
【図８−Ｃ】
0005986137.tif 000012
【図８−Ｄ】
0005986137.tif 000013
【図８−Ｅ】
0005986137.tif 000014
【図８−Ｆ】
0005986137.tif 000015